(57)【特許請求の範囲】
【請求項１】
合成樹脂成形体によって形成された電気絶縁性の板状ボディに、スイッチ部の固定電極とこの固定電極の相手方電極としての可動電極とが備わり、上記可動電極が上記板状ボディに具備された凹入部内に収容されてその凹入部の開放口に臨まされていると共に、その可動電極が、操作部材により押し込まれて初期形状からの反転動作を行いかつ操作部材による押込力が解除されると反転形状から初期形状に復帰するスナッププレートでなり、上記固定電極に連設されたリード部が上記板状ボディに埋入され、その板状ボディに電磁波遮蔽部材が重ね合わされているスイッチユニットにおいて、
上記電磁波遮蔽部材が、導電性と可撓性を備えるシート材によって形成されていると共に、そのシート材で上記凹入部の開放口が塞がれ、上記シート材が、最外層を導電性の電磁波遮蔽層によって形成している積層体でなり、そのシート材に開設された開口部に、上記板状ボディに突設されたアース端子が挿通され、このアース端子とそのアース端子に上記開口部で対向している上記シート材の電磁波遮蔽層とが軟化状態で流動性を有し硬化して流動性が減衰する導電性物質を介して電気的に接続されていることを特徴とするスイッチユニット。
【請求項２】
上記シート材が、ポリエチレンテレフタレートフィルムでなるベース層とアルミニウム薄膜でなる電磁波遮蔽層との積層体でなる請求項１に記載したスイッチユニット。
【請求項３】
上記シート材が、ポリエチレンテレフタレートフィルムでなるベース層とアルミニウム薄膜でなる電磁波遮蔽層との２つの層を有する積層体でなり、上記ベース層が粘着層を介して上記板状ボディに貼着されている請求項２に記載したスイッチユニット。
【請求項４】
上記シート材に、上記凹入部の開放口の外周部でその開放口の内部に押し込まれた形の環状の可撓部が成形され、このシート材の上記可撓部によって取り囲まれた部分が上記スナッププレートの表面に密着されている請求項１又は請求項３のいずれか１項に記載したスイッチユニット。
【請求項５】
上記導電性物質が導電性塗料でなる請求項１ないし請求項４のいずれか１項に記載したスイッチユニット。
【請求項６】
上記アース端子が上記板状ボディに形成された凹所の壁面からその凹所内に突出されていて、導電性物質による上記アース端子と上記電磁波遮蔽層との電気的接続箇所が上記凹所に収容されている請求項１ないし請求項５のいずれか１項に記載したスイッチユニット。
【請求項７】
固定電極とこの固定電極の相手方電極としての可動電極とを有するスイッチ部を備えた電気絶縁性の板状ボディに上記固定電極に連設されたリード部が埋入され、かつ、その板状ボディに電磁波遮蔽部材が重ね合わされているスイッチユニットにおける電磁波遮蔽部材と上記板状ボディに設けられたアース端子との電気的接続方法において、
上記電磁波遮蔽部材に、ポリエチレンテレフタレートフィルムでなるベース層とアルミニウム薄膜でなる電磁波遮蔽層との積層体によって形成された導電性と可撓性を備えるシート材が用いられ、
上記板状ボディに形成された凹所の壁面からその凹所の内部を経てその凹所の外側へ突出された弾性を備えるアース端子を、上記シート材に備わっている開口部に挿通させることと、そのシート材を上記板状ボディに重ね合わせることとを行い、
次に、上記アース端子を上記凹所の内部に押し込むことによりそのアース端子で上記シート材の開口部の口縁部をも上記凹所に押し込んだ後、アース端子に対する押込力を解放することにより、上記電磁波遮蔽層の塑性と上記アース端子のスプリングバックとを利用して上記シート材の開口部の口縁部でアース端子を上記電磁波遮蔽層に上記凹所の内部で対向させ、
次に、上記アース端子と上記電磁波遮蔽層との対向箇所に導電性塗料を装填することによりその導電性塗料を介して上記アース端子と上記電磁波遮蔽層とを電気的に接続することを特徴とするスイッチユニットにおける電磁波遮蔽部材とアース端子との電気的接続方法。
【発明の詳細な説明】
【０００１】
【発明の属する技術分野】
本発明は、スイッチユニット及びスイッチユニットにおける電磁波遮蔽部材とアース端子との電気的接続方法に関する。
【０００２】
【従来の技術】
携帯電話機のようなモバイル通信機器に用いられるスイッチユニットでは、そのスイッチユニットを機器に設置したときに、スイッチ部を備えるボディが嵩張らないようにするために、スイッチユニットのボディを板状に形成し、その板状ボディに、スイッチ部を形成している電極のリード部をインサート成形によって埋入させたものを用いることがある。図８にはそのようなスイッチユニットを採用した携帯電話機を一部省略して示してある。同図において、１は携帯電話機のケースで、表ケース２と裏ケース３とを合わせることによって形成されている。４は表示画面である。スイッチユニットは表ケース２と裏ケース３の内側に形成された取付溝部（不図示）に嵌合状に装着されて、そのスイッチユニットの操作部材５がケース１の側面に開設された開口６に配備されている。そして、操作部材５を押込み操作することによってスイッチユニットのスイッチ部のオンオフモードが制御されるようになっている。
【０００３】
図９は図８で説明した操作部材５によって操作される従来のスイッチユニットを示している。同図において、１０は細長い板状ボディで、電気絶縁性の合成樹脂成形体によって形成されていて、その左右両側にスイッチ部１２，１２がそれぞれ配備されている。これらのスイッチ部１２は、固定電極とこの固定電極の相手方電極としての可動電極とを備え、可動電極には、板状ボディ１０に具備された凹入部内に収容されているドーム状のスナッププレートが使われている。また、板状ボディ１０には、金属板でなる細長い電磁波遮蔽部材１３が重ね合わされていて、この電磁波遮蔽部材１３の電磁波シールド作用により、板状ボディ１０に埋入されている上記リード部が電磁波シールドされている。
【０００４】
図９のスイッチユニットでは、電磁波遮蔽部材１３に開設された開口１５が左右それぞれの上記スイッチ部１２に臨んでいて、この開口１５を通して図８で説明した操作部材５の裏側に設けられている突起（不図示）がスナッププレートでなる可動電極に対峙している。そして、操作部材５を押し込むと、可動電極が初期形状からの反転動作を行い、操作部材による押込力が解除されると、可動電極が反転形状から初期形状に復帰するようになっている。
【０００５】
また、図９で説明した従来のスイッチユニットにおいて、金属板でなる電磁波遮蔽部材１３を導電性と可撓性とを備えたシート材に置き換え、かつ、そのシート材によりスイッチ部１２を覆わせてスイッチ部１２の防塵性を高めたものも知られている。このものでは、シート材をボディ側のアース端子に電気的に接触させておく手段として、ばねを用いてシート材の導電部分とアース端子とを弾接させたり、あるいは、シート材の導電部分とアース端子とを加締めて接触させたりしていた。
【０００６】
【発明が解決しようとする課題】
しかしながら、図９で説明した従来のスイッチユニットは、金属板でなる電磁波遮蔽部材１３の開口１５をスイッチ部１２に臨ませ、その開口１５を通して操作部材５の突起をスナッププレートでなる可動電極に対峙させていたため、スイッチ部１２での防塵性能について問題があった。すなわち、図８で説明したようにスイッチユニットが、操作部材５を配備したケース１の開口６の内側に配備されているため、開口６から侵入した塵芥が、電磁波遮蔽部材１３の開口１５からスイッチユニットのスイッチ部１２に侵入してそのスイッチング性能や操作性を損なうおそれがあった。その反面で、電磁波遮蔽部材１３の開口１５を無くすることによりその電磁波遮蔽部材１３でスイッチ部１２を覆わせておくと、スイッチ部１２への塵芥の侵入が防止されるためにスイッチ部１２自体のスイッチング性能や操作性が維持されやすくなるけれども、そのようにすると、操作部材５を操作したときに操作部材５の突起で金属板でなる電磁波遮蔽部材１３を撓ませるという動作を介してスイッチ部１２のスナッププレートを反転動作させる必要が生じるので、どうしてもスナッププレートの反転動作に伴う操作部材５の操作感触を得にくくなるという問題がある。
【０００７】
これに対し、金属板でなる電磁波遮蔽部材１３を導電性と可撓性とを備えたシート材に置き換えた従来のスイッチユニットでは、電磁波遮蔽部材１３がスイッチ部１２を覆っているのでスイッチ部１２の防塵性に優れている。しかし、シート材の導電部分をボディ側のアース端子に電気的に接続するのに、ばねを余分に用いたり、あるいは、加締めなどの面倒な作業を要する加工が必要になるので、それだけコスト高になり、しかも、製品の厚さが厚くなってそれだけ広い設置スペースが必要になるという問題があった。
【０００８】
本発明は以上の問題に鑑みてなされたものであり、電磁波遮蔽部材によってスイッチ部の防塵性を確保してスイッチ部自体のスイッチング性能や操作性が損なわれにくくなるなるものでありながら、スイッチ部に採用されているスナッププレートの反転動作に伴う操作部材の操作感触が損なわれにくいスイッチユニットを提供することを目的とする。
【０００９】
また、本発明は、電磁波遮蔽部材に導電性と可撓性を備えたシート材を用いることによって上記の防塵性を確保した場合に、ばねを用いたり加締めを用いたりすることなく、シート材の導電部分とボディ側のアース端子とを確実に電気的に接続することが可能になるスイッチユニットを提供することを目的とする。
【００１０】
さらに、本発明は、電磁波遮蔽部材に導電性と可撓性を備えたシート材を用いることによって上記の防塵性を確保した場合に、シート材の導電部分とアース端子との電気的接続を確実かつ容易に行うことのできるスイッチユニットにおける電磁波遮蔽部材とアース端子との電気的接続方法を提供することを目的とする。
【００１１】
【課題を解決するための手段】
本発明に係るスイッチユニットは、合成樹脂成形体によって形成された電気絶縁性の板状ボディに、スイッチ部の固定電極とこの固定電極の相手方電極としての可動電極とが備わり、上記可動電極が上記板状ボディに具備された凹入部内に収容されてその凹入部の開放口に臨まされていると共に、その可動電極が、操作部材により押し込まれて初期形状からの反転動作を行いかつ操作部材による押込力が解除されると反転形状から初期形状に復帰するスナッププレートでなり、上記固定電極に連設されたリード部が上記板状ボディに埋入され、その板状ボディに電磁波遮蔽部材が重ね合わされている。そして、上記電磁波遮蔽部材が、導電性と可撓性を備えるシート材によって形成されていると共に、そのシート材で上記凹入部の開放口が塞がれ、上記シート材が、最外層を導電性の電磁波遮蔽層によって形成している積層体でなり、そのシート材に開設された開口部に、上記板状ボディに突設されたアース端子が挿通され、このアース端子とそのアース端子に上記開口部で対向している上記シート材の電磁波遮蔽層とが軟化状態で流動性を有し硬化して流動性が減衰する導電性物質を介して電気的に接続されている。
【００１２】
この発明によれば、電磁波遮蔽部材がスイッチ部を覆っているのでスイッチ部の防塵性に優れる。しかも、シート材の導電部分を板状ボディ側のアース端子に導電性物質を介して電気的に接続しており、しかも、その導電性物質は軟化状態で流動性を有し硬化して流動性が減衰するという性質を有しているので、軟化状態の導電性物質をシート材の導電部分と板状ボディ側のアース端子との間に塗布して装填するだけでそれら両者を電気的に接続することができるだけでなく、シート材の導電部分とアース端子との接続にばねを余分に用いたり加締めなどの面倒な作業を要する加工を行ったりする必要がなくなり、それだけコストダウンを図りやすく、しかも、製品の厚さを抑えて必要な設置スペースを狭くしやすくなるという作用が発揮される。その上、スペース部を覆う電磁波遮蔽部材が導電性と可撓性を備えるシート材によって形成されているので、スイッチ部に採用されているスナッププレートの反転動作に伴う操作部材の操作感触が電磁波遮蔽部材によって損なわれるという状況が生じにくくなって良好な操作感触が得られる。
【００１３】
本発明では、上記シート材が、ポリエチレンテレフタレートフィルムでなるベース層とアルミニウム薄膜でなる電磁波遮蔽層との積層体でなる、という構成を採用することが可能である。また、上記シート材が、ポリエチレンテレフタレートフィルムでなるベース層とアルミニウム薄膜でなる電磁波遮蔽層との２つの層を有する積層体でなり、上記ベース層が粘着層を介して上記板状ボディに貼着されている、という構成を採用することが望ましい。これによれば、ベース層に、ポリエチレンテレフタレートフィルムによって発揮される優れた耐久性が付与されるため、アルミニウム薄膜でなる電磁波遮蔽層が破れるといった損傷が起こりにくくなって、長期間に亘り初期の電磁波遮蔽作用が維持される。また、ベース層が粘着層を介して板状ボディに貼着されているという構成を備えているものでは、折曲げ加工などの特別な機械加工を行わずに電磁波遮蔽層を板状ボディに作業性よく保持させることが可能になる。
【００１４】
さらに、本発明では、上記シート材に、上記凹入部の開放口の外周部でその開放口の内部に押し込まれた形の環状の可撓部が成形され、このシート材の上記可撓部によって取り囲まれた部分が上記スナッププレートの表面に密着されているという構成を採用することが特に好ましい。これによれば、スナッププレートの反転動作にシート材の上記可撓部が抵抗なく（シート材に張力を発生させることなく）追従するようになるので、そのスナッププレートの反転動作に伴う操作部材の操作感触が上記シート材でなる電磁波遮蔽部材によって損なわれるという状況が生じにくくなって良好な操作感触が得られる。
【００１５】
本発明では、最外層が上記電磁波遮蔽層によって形成されている上記積層体でなる上記シート材に開設された開口部に、上記板状ボディに突設された上記アース端子が挿通され、このアース端子とそのアース端子に上記開口部の口縁部で対向している上記電磁波遮蔽層とが導電性物質を介して電気的に接続されていることが望ましく、その場合、上記導電性物質に導電性塗料を用いることが望ましい。これによれば、アース端子とそのアース端子に上記開口部の口縁部で対向している上記電磁波遮蔽層とを導電性物質、好ましくは導電性塗料を介して電気的に接続するものであるので、電磁波遮蔽層をアース端子に電気的に接続するときに軟化状態で流動性を有する導電性塗料をアース端子と電磁波遮蔽層との間に流し込んで装填し、その後、放置して導電性塗料を硬化させるだけでよく、ばねなどの余分な部品を用いたり加締めなどの面倒な加工作業を行ったりせずに済む。
【００１６】
本発明では、上記アース端子が上記板状ボディに形成された凹所の壁面からその凹所内に突出されていて、導電性物質による上記アース端子と上記電磁波遮蔽層との電気的接続箇所が上記凹所に収容されていることが望ましい。これによれば、アース端子と電磁波遮蔽層との電気的接続箇所が板状ボディから突き出さないので、スイッチユニットが嵩張らなくなってその設置スペースが狭くて済む。
【００１７】
本発明に係るスイッチユニットにおける電磁波遮蔽部材とアース端子との電気的接続方法は、固定電極とこの固定電極の相手方電極としての可動電極とを有するスイッチ部を備えた電気絶縁性の板状ボディに上記固定電極に連設されたリード部が埋入され、かつ、その板状ボディに電磁波遮蔽部材が重ね合わされているスイッチユニットにおける電磁波遮蔽部材と上記板状ボディに設けられたアース端子との電気的接続方法に関するものであり、上記電磁波遮蔽部材に、ポリエチレンテレフタレートフィルムでなるベース層とアルミニウム薄膜でなる電磁波遮蔽層との積層体によって形成された導電性と可撓性を備えるシート材が用いられ、上記板状ボディに形成された凹所の壁面からその凹所の内部を経てその凹所の外側へ突出された弾性を備えるアース端子を、上記シート材に備わっている開口部に挿通させることと、そのシート材を上記板状ボディに重ね合わせることとを行い、次に、上記アース端子を上記凹所の内部に押し込むことによりそのアース端子で上記シート材の開口部の口縁部をも上記凹所に押し込んだ後、アース端子に対する押込力を解放することにより、上記電磁波遮蔽層の塑性と上記アース端子のスプリングバックとを利用して上記シート材の開口部の口縁部でアース端子を上記電磁波遮蔽層に上記凹所の内部で対向させ、  次に、上記アース端子と上記電磁波遮蔽層との対向箇所に導電性塗料を装填することによりその導電性塗料を介して上記アース端子と上記電磁波遮蔽層とを電気的に接続する、というものである。この方法によれば、上記した各発明に係るスイッチユニットを容易に製作することが可能である。
【００１８】
【発明の実施の形態】
図１は本発明の実施形態に係るスイッチユニットＵの平面図、図２は図１のスイッチユニットＵに用いられている板状ボディ２０の平面図、図３は電磁波遮蔽部材５０の平面図、図４は電磁波遮蔽部材５０の積層構造を示した説明図、図５（Ａ）は図１のＶ−Ｖ線に沿う部分の拡大断面図、図５（Ｂ）は図１のＶ−Ｖ線に沿う部分の変形例を示した拡大断面図、図６は図１のＶＩ−ＶＩ線に沿う部分の拡大断面図、図７は電磁波遮蔽部材５０とアース端子４０との電気的接続方法の説明図である。
【００１９】
この実施形態のスイッチユニットＵは、図８で説明した携帯電話機のようなモバイル通信機器に用いられるスイッチユニットであり、同図で説明した従来のスイッチユニットと同じ使い方をすることが前提になっている。
【００２０】
図１のようにこのスイッチユニットＵは、偏平で細長い板片状に形成されていて、細長い板状ボディ２０の表面のほゞ全体を覆う形態で、細長い電磁波遮蔽部材５０が貼着されている。電気絶縁性の合成樹脂成形体でなる板状ボディ２０の左右両側にスイッチ部３０，３０がそれぞれ配備されていると共に、その一端部にはアース端子４０が突出されていて、そのアース端子４０と電磁波遮蔽部材５０とが電気的に接続されている。
【００２１】
図２又は図５（Ａ）のように板状ボディ２０の左右両側にそれぞれ円形の凹入部２１が設けられており、それぞれの凹入部２１の底面で中心電極３１及び周辺電極３２の２つの固定電極が面一状態で露出している。そして、中心電極３１や周辺電極３２に連設されているリード部３３，３４が板状ボディ２０に埋入されている。また、中心電極３１のリード部３３やアース端子４０には接片３５が連設されていて、それらが板状ボディ２０から突出されている。なお、これらの接片３５は、それらの根元部分で折返し状に折り曲げられて板状ボディ２０の裏側に配備される。
【００２２】
図５（Ａ）のように、板状ボディ２０の上記凹入部２１には、円形ドーム状のスナッププレートでなる可動電極３６が大きながたつきを持たない状態で収容されていて、その可動電極３６の周縁部３６ａが上記周辺電極３２に重なり合って常接しているのに対し、その可動電極３６の中央部（頂部）が上記中心電極３１に間隔を隔てて対向し、しかも、この可動電極３６は凹入部２１の開放口２１ａに臨んでいる。そして、上記した中心電極３１及び周辺電極３２の２つの固定電極と上記スナッププレートでなる可動電極３６とによって上記スイッチ部３０が形成されている。
【００２３】
電磁波遮蔽部材５０は、導電性と可撓性を備えるシート材によって形成されている。この実施形態では、電磁波遮蔽部材５０を形成しているシート材として、図４に示した構造の積層体が用いられている。具体的には、電磁波遮蔽部材５０を形成しているシート材が、ポリエチレンテレフタレートフィルム（ＰＥＴフィルム）でなるベース層５１とアルミニウム薄膜でなる電磁波遮蔽層５２との２つの層を有する積層体でなり、ベース層５１に粘着層５３が保持されている。また、この電磁波遮蔽部材５０には、板状ボディ２０側に設けられている上記アース端子４０を挿通させる開口部５４が開設されている。そして、上記シート材でなる電磁波遮蔽部材５０が、粘着層５３を介して板状ボディ２０に重なり状に貼着されていると共に、電磁波遮蔽部材５０の開口部５４に上記アース端子４０が挿通されていて、図６のように、そのアース端子４０と電磁波遮蔽部材５０とが導電性塗料でなる導電性物質６０を介して電気的に接続されている。さらに具体的には、粘着層５３を介して板状ボディ２０に貼着された電磁波遮蔽部材５０はその電磁波遮蔽層５２が最外層に位置していて、開口部５４の口縁部でアース端子４０に対向している電磁波遮蔽層５２がそのアース端子４０に上記導電性物質６０を介して電気的に接続されている。
【００２４】
この実施形態では、図６のように、アース端子４０が板状ボディ２０に形成された凹所（図例では開口）２３の壁面からその凹所２３内に突出されていて、導電性物質６０によるアース端子４０と電磁波遮蔽層５０との電気的接続箇所がその凹所２３に収容されている。このため、電磁波遮蔽層５２をアース端子４０に電気的に接続するときに、軟化状態の流動性を有する導電性塗料をアース端子４０と電磁波遮蔽層５０との間に流し込んだ後、放置して硬化させるだけでよく、ばねなどの余分な部品を用いたり加締めなどの面倒な加工作業を行ったりせずに済む。その上、アース端子４０と電磁波遮蔽層５２との電気的接続箇所が板状ボディ２０から突き出していないので、スイッチユニットＵが嵩張らなくなってその設置スペースが狭くて済む。
【００２５】
以上のように構成されたスイッチユニットＵによると、スイッチ部３０の可動電極３６が押し込まれて初期形状からの反転動作を行うと、その可動電極３６によって中心電極３１と周辺電極３２とが短絡し、可動電極３６が反転形状から初期形状に復帰する動作を行うと、中心電極３１と周辺電極３２との短絡が解除される。したがって、図８のように、携帯電話機のケース１の内側にスイッチユニットＵを組み込み、かつ、そのそのスイッチユニットＵの操作部材５をケース１の側面に開設された開口６に配備しておくと、操作部材５を押込み操作することによってスイッチユニットのスイッチ部３０のオンオフモードが制御される。その際、操作部材５の押込み操作が、可撓性を備えたシート材でなる電磁波遮蔽部材５０の撓み変形を介して可動電極３６ａの反転動作に変換され、また、可動電極３６ａの復帰動作が上記シート材でなる電磁波遮蔽部材５０の撓み変形を介して操作部材５の復帰動作に変換されるので、スイッチ部３０に採用されているスナッププレート（可動電極３６）の反転動作に伴う操作部材５の操作感触が電磁波遮蔽部材５０によって損なわれるという状況が生じにくくなって良好な操作感触が得られる。
【００２６】
また、板状ボディ１０に重なり状に貼着されている導電性を備える電磁波遮蔽部材５０の電磁波シールド作用により、板状ボディ２０に埋入されているリード部３３，３４やスイッチ部３０が電磁波シールドされる。
【００２７】
さらに、電磁波遮蔽部材５０がスイッチ部３０を覆っているので、スイッチ部３０に外部から塵芥が侵入してスイッチ部３０自体のスイッチング性能や操作性が損なわれるというおそれがない。
【００２８】
そのほか、電磁波遮蔽部材５０を形成しているシート材が、ポリエチレンテレフタレートフィルムでなるベース層５１を備えているので、その電磁波遮蔽部材５０にポリエチレンテレフタレートフィルムによって発揮される優れた耐久性が付与され、その結果、アルミニウム薄膜でなる電磁波遮蔽層５２が破れるといった損傷が起こりにくくなって、長期間に亘り初期の電磁波遮蔽作用が維持される。
【００２９】
この実施形態では、図５（Ａ）のように板状ボディ２０に貼着した可撓性を有するシート材でなる電磁波遮蔽部材５０でその板状ボディ２０の凹入部２１をただ単に塞いでいるだけであるけれども、そのような構成に代えて、図５（Ｂ）のように、シート材でなる電磁波遮蔽部材５０に、凹入部２１の開放口２１ａの外周部でその開放口２１の内部に押し込まれた谷形の環状の可撓部５５を成形し、、その電磁波遮蔽部材５０の可撓部５５によって取り囲まれた円形部分５６を可動電極３６を形成しているスナッププレートの表面に密着させておくという構成を採用すると、スナッププレートでなる可動電極３６の反転動作に電磁波遮蔽部材５０の上記可撓部５５が抵抗なく追従するようになり、シート材に張力を発生させることがなくなるので、その可動電極３６の反転動作に伴う操作部材５の操作感触が上記シート材でなる電磁波遮蔽部材５０に発生する張力によって損なわれるという状況を生じる余地が無くなって良好な操作感触が得られる。
【００３０】
次に、図６及び図７を参照して上記スイッチユニットＵにおける電磁波遮蔽部材５０とアース端子４０との電気的接続方法を説明する。
【００３１】
最初の段階では、図７のように、弾性を備えたばね片でなるアース端子４０が、板状ボディ２０の凹所２３の壁面からその凹所２３の内部を経てその凹所２３の外側へ突出されていて、そのアース端子４０を、図７（Ａ）のようにシート材でなる電磁波遮蔽部材５０に備わっている開口部５４に挿通させながら、その電磁波遮蔽部材５０を板状ボディ２０に位置合わせして重ね合わせ、粘着層５３を介して電磁波遮蔽部材５０を板状ボディ２０に貼着する。
【００３２】
次に、図７（Ｂ）のように、治具７０を用いて矢印ｄのようにアース端子４０を凹所２３の内部に押し込む作業を行い、その作業を通じて、アース端子４０で電磁波遮蔽部材５０の開口部５４の口縁部５４ａをも凹所２３に押し込む。続いて、アース端子４０に対する押込力を解放すると、電磁波遮蔽部材５０の電磁波遮蔽層５２がアルミニウム薄膜で形成されており、かつ、アース端子４０が弾性を備えたばね片で形成されていることにより、図７（ｃ）のように電磁波遮蔽層５２の塑性によって電磁波遮蔽部材５０の開口部５４の口縁部５４ａが押込み位置にそのまま残り、アース端子４０がそのスプリングバックによりわずかに復帰して電磁波遮蔽部材５０との間に隙間を隔てて凹所２３の内部で対向する。そこで、アース端子４０と電磁波遮蔽部材５０の電磁波遮蔽層５２との対向箇所に導電性塗料を流し込んで装填することにより、図６のにようにその導電性塗料（導電性物質６０）を介して電磁波遮蔽層５２とアース端子４０とを電気的に接続する。
【００３３】
この方法によれば、電磁波遮蔽部材５０とアース端子４０とを迅速にしかも確実に電気的に接続することが可能である。
【００３４】
【発明の効果】
以上のように、本発明に係るスイッチユニットによれば、電磁波遮蔽部材によってスイッチ部の防塵性を確保してスイッチ部自体のスイッチング性能や操作性が損なわれにくくなるなるものでありながら、スイッチ部に採用されているスナッププレートの反転動作に伴う操作部材の操作感触が損なわれにくいスイッチユニットを提供することが可能になる。また、ばねを用いたり加締めを用いたりすることなく、シート材でなる電磁波遮蔽部材の導電部分とボディ側のアース端子とを確実に電気的に接続することが可能になる。
【００３５】
本発明に係るスイッチユニットにおける電磁波遮蔽部材とアース端子との電気的接続方法によれば、電磁波遮蔽部材に導電性と可撓性を備えたシート材を用いることによって上記の防塵性を確保した場合に、シート材の導電部分とアース端子との電気的接続を確実かつ容易に行うことができるようになる。
【図面の簡単な説明】
【図１】  本発明の実施形態に係るスイッチユニットの平面図である。
【図２】  図１のスイッチユニットに用いられている板状ボディの平面図である。
【図３】  電磁波遮蔽部材の平面図である。
【図４】  電磁波遮蔽部材の積層構造を示した説明図である。
【図５】  （Ａ）は図１のＶ−Ｖ線に沿う部分の拡大断面図、（Ｂ）は図１のＶ−Ｖ線に沿う部分の変形例を示した拡大断面図である。
【図６】  図１のＶＩ−ＶＩ線に沿う部分の拡大断面図である。
【図７】  電磁波遮蔽部材とアース端子との電気的接続方法の説明図である。
【図８】  スイッチユニットを採用した携帯電話機の一部省略外観図である。
【図９】  従来のスイッチユニットの平面図である。
【符号の説明】
Ｕ  スイッチユニット
５  操作部材
２０  板状ボディ
２１  凹入部
２１ａ  凹入部の開放口
２３  凹所
３０  スイッチ部
３１  中心電極（固定電極）
３２  周辺電極（固定電極）
３６  可動電極（スナッププレート）
３３，３４  リード部
４０  アース端子
５０  電磁波遮蔽部材
５１  ベース層（ポリエチレンテレフタレートフィルム）
５２  電磁波遮蔽層（アルミニウム薄膜）
５３  粘着層
５４ａ  開口部の口縁部
５４  開口部
５５  可撓部
６０  導電性物質（導電性塗料）
【図１】
0004017406.tif 000002
【図２】
0004017406.tif 000003
【図３】
0004017406.tif 000004
【図４】
0004017406.tif 000005
【図５】
0004017406.tif 000006
【図６】
0004017406.tif 000007
【図７】
0004017406.tif 000008
【図８】
0004017406.tif 000009
【図９】
0004017406.tif 000010